(57)【要約】【課題】目皿の取手部に毛髪が引っ掛かって絡まることを防止できる排水構造を提供する。【解決手段】排水孔２に配置される目皿６を備える。排水孔２の上端周縁部に載置されて目皿６の上方に位置する排水カバー１６を備える。目皿６の外側端部から上方に向けて取手部１２を突設する。排水カバー１６と排水孔２の周縁部の間に排水孔２側に水を流すための流水用隙間１８を形成する。排水カバー１６の下面に流水用隙間１８から流入した水が取手部１２側へ流れることを防止するための遮断用リブ２０を設ける。【選択図】図１
2009007777.tif 000002
【特許請求の範囲】
【請求項１】
排水孔に配置される目皿と、排水孔の上端周縁部に載置されて目皿の上方に位置する排水カバーを備え、目皿の外側端部から上方に向けて取手部を突設し、排水カバーと排水孔の周縁部の間に排水孔側に水を流すための流水用隙間を形成し、排水カバーの下面に前記流水用隙間から流入した水が取手部側へ流れることを防止するための遮断用リブを設けて成ることを特徴とする排水構造。
【請求項２】
前記遮断用リブは、少なくとも取手部の排水孔とは反対側と両側の三方を囲み、該遮断用リブの下端を排水孔の周縁部上に沿わせて成ることを特徴とする請求項１に記載の排水構造。
【発明の詳細な説明】
【技術分野】
【０００１】
本発明は排水孔に目皿を配置した排水構造に関する。
【背景技術】
【０００２】
従来、例えば特許文献１に示すように、浴室の洗い場に形成される排水孔２の周縁部上には排水孔２を覆う排水カバー１６の周縁部が載置され、洗い場上の水は排水カバー１６と排水孔２の周縁部の間に形成された流水用隙間１８を介して排水孔２に排出される。
【０００３】
通常、上記排水孔２には図３に示すように目皿６が配置され、流水用隙間１８からの水を目皿６に通過させることで毛髪やごみを捕集するようにしている。また、この目皿６は捕集した毛髪やゴミを取り除くために定期的に排水孔２から取り出す必要があるため、目皿６には取り出しを容易にするために外側端部から上側に向けて取手部１２を突設している。
【０００４】
しかし、上記取手部１２を設けた場合、流水用隙間１８から目皿６側に流れる排水に含まれた毛髪が目皿６の取手部１２に引っ掛かって絡まることがあり、このように取手部１２に絡まった毛髪は取り除き難いという問題がある。
【特許文献１】特開２０００−２９７４５０号公報
【発明の開示】
【発明が解決しようとする課題】
【０００５】
本発明は上記従来の問題点に鑑みて発明したものであって、目皿の取手部に毛髪が引っ掛かって絡まることを防止できる排水構造を提供することを課題とするものである。
【課題を解決するための手段】
【０００６】
上記課題を解決するために本発明に係る排水構造は、排水孔２に配置される目皿６と、排水孔２の上端周縁部に載置されて目皿６の上方に位置する排水カバー１６を備え、目皿６の外側端部から上方に向けて取手部１２を突設し、排水カバー１６と排水孔２の周縁部の間に排水孔２側に水を流すための流水用隙間１８を形成し、排水カバー１６の下面に前記流水用隙間１８から流入した水が取手部１２側へ流れることを防止するための遮断用リブ２０を設けて成ることを特徴とする。このように排水カバー１６の下面に遮断用リブ２０を設けることで、流水用隙間１８から流入した排水の流れを遮断用リブ２０により遮断して、流水用隙間１８からの排水が取手部１２側へ流れることを防止でき、これにより目皿６の取手部１２に排水に含まれる毛髪が引っ掛かって絡まることを防止でき、目皿６に付着した毛髪を取り除く手間を大幅に軽減できる。
【０００７】
また、請求項２は請求項１において、前記遮断用リブ２０は、少なくとも取手部１２の排水孔２とは反対側と両側の三方を囲み、該遮断用リブ２０の下端を排水孔２の周縁部上に沿わせて成ることを特徴とする。遮断用リブ２０により、確実に流水用隙間１８から流入した排水の流れを遮断できる。
【発明の効果】
【０００８】
請求項１に係る発明では、流水用隙間から流入した排水の流れを遮断用リブにより遮断して、排水が取手部側へ流れることを防止でき、これにより目皿の取手部に排水に含まれる毛髪が引っ掛かって絡まることを防止でき、目皿に付着した毛髪を簡単に取り除くことができる。
【０００９】
また請求項２に係る発明では、請求項１に係る発明の効果に加えて、確実に目皿の取手部に毛髪が引っ掛かることを防止できる。
【発明を実施するための最良の形態】
【００１０】
以下、本発明を添付図面に示す実施形態に基づいて説明する。本実施形態の一例の排水構造は、水受面となる浴室の洗い場の床１に排水孔２を形成し、該排水孔２を介して排水を行うものである。
【００１１】
図１及び図２に示すように、床１に形成した円形の排水孔２の上端周縁部は周囲の床１よりも一段低くなって上方に開口するカバー収納凹所３を形成している。排水孔２の内周面には段差４を形成してあり、段差４上方の排水孔２の上端部にはカバー収納凹所３に連通する目皿収納凹所５を形成している。
【００１２】
排水孔２の目皿収納凹所５には目皿６（ヘアキャッチャー）を配設している。目皿６は金属等で形成された平面視円環状の多数の排水用孔を有する目皿部７を備えており、該目皿部７により排水孔２に流入した水に含まれる毛髪やゴミを補足するものである。目皿部７の外周部は合成樹脂等で形成された円筒状の外筒部８の下端部に接続してあり、外筒部８は目皿６の外周縁部を構成する。また、目皿部７の内周部は合成樹脂等で形成された円筒状のオーバーフロー管部９の下端部に接続してあり、該オーバーフロー管部９は目皿部７の中央から上方に突出し、上端が目皿部７よりも上方の位置で開口している。オーバーフロー管部９は目皿部７が毛髪やゴミ等で目詰まりした場合に目皿部７に代わって排水を通過させる流路を構成する。
【００１３】
目皿６は目皿収納凹所５に着脱自在に取り付けられるものであり、目皿収納凹所５から目皿６を取り出して、目皿６に付いた毛髪やゴミを取り除くことができるようになっている。以下に目皿６の取り付け構造の一例を挙げる。
【００１４】
外筒部８の外周面には下方に開口するＬ字状の係合溝１０を形成してあり、該係合溝１０の横方向に伸びる横溝部には目皿収納凹所５の内周面に形成した係合突起部１１を係脱自在に係合できるようにしてある。即ち、上方から目皿６を排水孔２の目皿収納凹所５内に嵌め込んで、係合溝１０の縦溝部（図示せず）の下開口から係合突起部１１を挿入し、該係合突起部１１を係合溝１０の縦溝部の上端部に位置させた状態で目皿６を一方向に回動操作して係合溝１０の横溝部に係合突起部１１を係合することで目皿６を目皿収納凹所５に取り付け、また、この取付け状態で上記と逆に回動して係合溝１０の縦溝部の上端部に位置させて係合溝１０と係合突起部１１との係合を解除し、ここから目皿６を引き上げることで目皿６を目皿収納凹所５から取り外すことができるようになっている。
【００１５】
上記目皿６の外筒部８の周方向の一部からは上方に向けて取手部１２を一体に突設してあり、図示例では取手部１２を目皿６の対向する両側２箇所設けている。各取手部１２は、外筒部８から上方に突出する立上片部１３と、立上片部１３の上端部から目皿６の径方向外側に向けて突出する摘み部１４とからなり、立上片部１３は目皿の中心側を向く縦片状に形成され、摘み部１４は横片状に形成されて全体でＬ字状をしている。各取手部１２は図１のように目皿６を排水孔２に取り付けた状態で目皿収納凹所５よりも上方に突出し、摘み部１４は排水孔２の上端周縁部の上面の上方に位置して容易に指で摘むことができるようになっている。なお、取手部１２は目皿６に１個だけ設けてあっても良いし、３以上の複数設けてあっても良い。
【００１６】
排水孔２に連通するカバー収納凹所３には排水孔２の上端開口である排水口１５を上方から覆う平面視円形の排水カバー１６を配設している。排水カバー１６の外側端部には下方に向けて突出する脚部１７を設けてあり、排水カバー１６は脚部１７を排水孔２の上端周縁部を構成するカバー収納凹所３の底面上に載置することでカバー収納凹所３に配置される。このように配置した排水カバー１６の上面は洗い場の床１の上面と略面一となり、また、排水カバー１６と排水孔２の周縁部の間には排水孔２側に水を流すための流水用隙間１８が形成される。流水用隙間１８は、排水カバー１６の外周縁から下方に突出して脚部１７を構成する外周壁部の下端部に切欠を設け、該切欠を流水用隙間１８としたり、排水カバー１６の外周部の周方向の複数箇所に脚部１７を設け、脚部１７間の隙間を流水用隙間１８とする等して形成される。
【００１７】
上記により、洗い場の床１上の水は図１の矢印に示すようにカバー収納凹所３の内周面と排水カバー１６の外周面との間の隙間１９から前記流水用隙間１８を介して排水カバー１６の下方に位置する目皿収納凹所５内に流入し、この後、内側の排水口１５から排水孔２に流入し、目皿６の目皿部７を通過して排水される。また、この洗い場から排水される水には毛髪やゴミが含まれている場合があるが、これら毛髪やゴミは排水孔２に設けた目皿６の目皿部７によって捕集され、これにより毛髪やゴミが排水と共に排出されることが防止されている。
【００１８】
ここで、上記排水カバー１６の下面には上記のように流水用隙間１８から流入した水が取手部１２側へ流れることを防止するための遮断用リブ２０を設けている。図２に示すように遮断用リブ２０は排水カバー１６の下面において各取手部１２に対応する位置である両側部分に夫々設けている。各遮断用リブ２０は水平断面で排水孔２側に開口するコ字状をしており、また図１に示すように各遮断用リブ２０の下方への突出長さは脚部１７の下方への突出長さと略同じとしてある。
【００１９】
上記遮断用リブ２０を設けた排水カバー１６を排水孔２の周縁部上に載置した状態では、断面コ字状の各遮断用リブ２０の内側に対応する目皿６の取手部１２の立上片部１３の上部及び摘み部１４が配置され、さらに各遮断用リブ２０の下端は排水孔２の周縁部の上面に沿う。なお、各遮断用リブ２０の下端は排水孔２の周縁部上に当接して排水カバー１６の脚として機能するものであっても良いし、毛髪が通過しない程度のわずかな隙間を介して排水孔２の周縁部の上面に沿わせてあっても良い。図示例の各遮断用リブ２０は、図２のように断面コ字状の各遮断用リブ２０の両側の外角部を直角とせずに面取り形状に傾斜しており、これにより排水孔２とは反対側から流れてきた水を二分してスムーズに排水孔２側に流すことができるようにしてある。
【００２０】
上記のように排水カバー１６の下面に遮断用リブ２０を設けることで、前述した排水において流水用隙間１８から排水孔２側に流れる水の流れは図２の矢印に示すように取手部１２を囲む遮断用リブ２０により遮断され、これにより流水用隙間１８から流入した水が取手部１２側へ流れることが防止される。従って、目皿６の取手部１２の立上片部１３には排水に含まれる毛髪が引っ掛かって絡まることを防止でき、目皿６に付着した毛髪を取り除く手間を大幅に軽減できる。
【００２１】
なお、本例の遮断用リブ２０は取手部１２の排水孔２とは反対側と両側の三方を囲むものであり、取手部１２の排水孔２側は開放されているが、遮断用リブ２０で取手部１２の全周を囲み、大量に排水された場合等において排水孔２側から取手部１２側に水が流れることも防止できるようにしても良い。
【図面の簡単な説明】
【００２２】
【図１】本発明の実施の形態の一例を示す断面図である。
【図２】同上の平面図である。
【図３】従来の排水構造を示す断面図である。
【符号の説明】
【００２３】
２  排水孔
６  目皿
１２  取手部
１６  排水カバー
１８  流水用隙間
２０  遮断用リブ
【図１】
2009007777.tif 000003
【図２】
2009007777.tif 000004
【図３】
2009007777.tif 000005